(57)【特許請求の範囲】
【請求項１】
筒状のバレルと、該バレルの先端に保持機構により保持された内ハブと、この内ハブに設けたカヌラと、上記バレルに進退動自在に設けたプランジャと、このプランジャの先端部に設けた係合手段と、上記内ハブに設けた被係合手段とを備え、
上記プランジャの前進時に係合手段と被係合手段とを係合させ、この状態から上記プランジャを後退させることで上記内ハブを保持機構より離脱させて、上記カヌラを内ハブごとバレル内に収納するようにした注射器において、
上記係合手段は、上記プランジャの先端部に設けた筒状部材と、この筒状部材に設けられて上記内ハブの被係合手段に係合する係合部と、さらに上記係合部に係合した被係合手段に当接して該被係合手段を筒状部材の中心軸から半径方向外方に押圧偏心させて、上記カヌラの先端部をバレルの中心軸から半径方向外方に偏心させる押圧部とを備え、
また上記筒状部材は、上記内ハブの被係合手段が挿入される挿入孔を備えており、この挿入孔は、前方側の小径孔と、後方側の大径孔と、小径孔と大径孔との段部によって形成された上記係合部とを備え、上記内ハブの被係合手段は、この係合部に係止されるようになっており、
さらに上記押圧部は、上記大径孔内に設けられて上記被係合手段を筒状部材の中心軸から半径方向外方に押圧する第１押圧部と、上記小径孔内に設けられて上記被係合手段を筒状部材の中心軸から半径方向外方に、上記第１押圧部とは反対側に押圧する第２押圧部とを備えることを特徴とする注射器。
【請求項２】
上記大径孔は、上記筒状部材をその軸方向と直交する方向に貫通するように形成され、第１押圧部の表面はその貫通方向に平行に形成されていることを特徴とする請求項１に記載の注射器。
【請求項３】
上記小径孔は、上記筒状部材の先端面から軸方向に断面円形の孔として形成され、第２押圧部は半円形状に突出形成されていることを特徴とする請求項１又は請求項２に記載の注射器。
【請求項４】
上記内ハブは、上記保持機構により保持される保持部と、この保持部の後方に連設された上記被係合手段とを備え、この被係合手段は、上記保持部の後端部から互いに間隔をあけて後方に伸びる２枚の薄板状部分と、この薄板状部分の後端部を一体に連結する後端側がとがった断面三角状部分とを備え、かつ三角状部分の先端部側がそれぞれ半径方向外方に突出して、その突出部分が上記係合手段の係合部と係合する係止部となっていることを特徴とする請求項１ないし請求項３のいずれかに記載の注射器。
【請求項５】
上記筒状部材は、上記プランジャの先端部に一体的に設けられて、該プランジャの先端部に設けたガスケットを液密を保ちながら摺動自在に貫通して前方に伸びており、上記ガスケットを前進端まで移動させた「ゼロ点合わせ」の状態では上記係合手段は内ハブの被係合手段と係合することがなく、上記「ゼロ点合わせ」の状態から更にプランジャを押込んでガスケットを軸方向に圧縮させながら上記筒状部材を前進させた際に、上記係合手段と被係合手段とが係合することを特徴とする請求項１ないし請求項４のいずれかに記載の注射器。
【請求項６】
上記筒状部材は、上記プランジャの先端部に設けたガスケットに設けられていることを特徴とする請求項１ないし請求項４のいずれかに記載の注射器。
【発明の詳細な説明】
【技術分野】
【０００１】
本発明は注射器に関し、より詳しくは、注射器の使用後にカヌラをバレル内に収納することの可能な注射器に関する。
【背景技術】
【０００２】
従来、注射器として、使用後のカヌラが医療従事者に刺さってしまう誤穿刺事故を防止するため、上記カヌラを内ハブごとバレル内に収納可能としたものが知られている。（特許文献１）
すなわちこの注射器は、筒状のバレルと、該バレルの先端に保持機構により保持された内ハブと、この内ハブに設けたカヌラと、上記バレルに進退動自在に設けたプランジャと、このプランジャの先端部に設けたガスケットと、上記プランジャの先端部に設けた係合手段と、上記内ハブに設けた被係合手段とを備えており、上記プランジャの前進時に係合手段と被係合手段とを係合させ、この状態から上記プランジャを後退させることで上記内ハブを保持機構より離脱させて、上記カヌラを内ハブごとバレル内に収納するようにしている。
またこの種の注射器において、上記カヌラをバレル内に収納した際に、カヌラの先端部をバレルの中心軸から半径方向外方に偏心させるようにしたものも知られている。（特許文献２）
すなわち特許文献２の注射器においては、プランジャの先端部に設けた係合手段は２つの突起として形成され、他方、内ハブに設けた被係合手段は各突起に係合する２つの係合凹部として形成されている。そして２つの係合凹部のうち、一方の係合凹部の曲面を他方の係合凹部の曲面と異ならせることにより、各係合凹部がそれぞれ突起に係合した際に、曲面の違いからカヌラを傾かせることができるようにしている。
【特許文献１】特開２００５−６５７０８号公報
【特許文献２】特開２００６−５０２７９３号公報
【発明の開示】
【発明が解決しようとする課題】
【０００３】
上記カヌラの先端部をバレルの中心軸から半径方向外方に偏心させるようにした注射器においては、係合手段と被係合手段との係合部分における形状の差からカヌラを傾かせているので、すなわち僅かな接触部分における形状の差によってカヌラを傾かせるようにしていたので、確実性に欠けるという欠点があった。
本発明はこのような事情に鑑み、より確実にカヌラを傾かせることができる注射器を提供するものである。
【課題を解決するための手段】
【０００４】
すなわち請求項１の発明は、筒状のバレルと、該バレルの先端に保持機構により保持された内ハブと、この内ハブに設けたカヌラと、上記バレルに進退動自在に設けたプランジャと、このプランジャの先端部に設けた係合手段と、上記内ハブに設けた被係合手段とを備え、
上記プランジャの前進時に係合手段と被係合手段とを係合させ、この状態から上記プランジャを後退させることで上記内ハブを保持機構より離脱させて、上記カヌラを内ハブごとバレル内に収納するようにした注射器において、
上記係合手段は、上記プランジャの先端部に設けた筒状部材と、この筒状部材に設けられて上記内ハブの被係合手段に係合する係合部と、さらに上記係合部に係合した被係合手段に当接して該被係合手段を筒状部材の中心軸から半径方向外方に押圧偏心させて、上記カヌラの先端部をバレルの中心軸から半径方向外方に偏心させる押圧部とを備え、
また上記筒状部材は、上記内ハブの被係合手段が挿入される挿入孔を備えており、この挿入孔は、前方側の小径孔と、後方側の大径孔と、小径孔と大径孔との段部によって形成された上記係合部とを備え、上記内ハブの被係合手段は、この係合部に係止されるようになっており、
さらに上記押圧部は、上記大径孔内に設けられて上記被係合手段を筒状部材の中心軸から半径方向外方に押圧する第１押圧部と、上記小径孔内に設けられて上記被係合手段を筒状部材の中心軸から半径方向外方に、上記第１押圧部とは反対側に押圧する第２押圧部とを備えることを特徴とするものである。
【発明の効果】
【０００５】
請求項１の発明によれば、内ハブの被係合手段を係合手段の係合部とを係合させた状態では、係合手段の押圧部が被係合手段に当接して該被係合手段を筒状部材の中心軸から半径方向外方に押圧偏心させて、上記カヌラの先端部をバレルの中心軸から半径方向外方に偏心させるようになる。
このとき、上記押圧部は、上記大径孔内に設けられて上記被係合手段を筒状部材の中心軸から半径方向外方に押圧する第１押圧部と、上記小径孔内に設けられて上記被係合手段を筒状部材の中心軸から半径方向外方に、上記第１押圧部とは反対側に押圧する第２押圧部とを備えているので、これら押圧部に当接する被係合手段を筒状部材の中心軸から半径方向外方に確実に押圧偏心させることができ、それによって上記カヌラの先端部をバレルの中心軸から半径方向外方に確実に偏心させることができるようになる。
【発明を実施するための最良の形態】
【０００６】
以下図示実施例について本発明を説明すると、図１は本発明に係る注射器１の断面図を示し、この注射器１は医療従事者の誤穿刺事故防止のため、使用後にはカヌラ２をバレル３内に収納可能な注射器１（図３参照）となっている。以下、図示左方を注射器１の前方側若しくは先端側として説明する。
上記注射器１は、血液や薬品などを貯溜する筒状のバレル３と、該バレル３内を進退動されるプランジャ４と、該プランジャ４の先端に連結されて上記バレル３内の先端側を気密を保持した状態で進退動されるガスケット５とを備えている。
上記バレル３は、内部を薬液室とした筒状部３ａと、該筒状部３ａの前方に設けられた小径筒状の結合部３ｂと、上記筒状部３ａから結合部３ｂに向けて縮径する傾斜部３ｃとを備えており、上記筒状部３ａの外周面に、薬品や血液量を測定するための目盛が印刷されている。
また上記筒状部３ａの後端に、医療従事者の指をかけるためのバレル側フランジ３ｄが筒状部３ａの半径方向外方に向けて突出形成されており、さらに筒状部３ａの後端内周面に、半径方向内方に向けて突出する環状の膨出部３ｅが形成され、この膨出部３ｅによってプランジャ４がバレル３内から完全に引き抜かれてしまうことが防止できるようにしてある。
【０００７】
上記プランジャ４は、バレル３の軸方向に沿って配置した４枚の板状部材４ａ（図４参照）を備えており、各板状部材４ａはバレル３の中心軸を中心として９０°の間隔で放射状に配置してある。これら４枚の板状部材４ａの先端に円盤状の押圧部４ｂと上記ガスケット５を連結するための連結部４ｃとを所定の間隔だけ離して形成してあり、また板状部材４ａの後端にはプランジャ側フランジ４ｄを設けてある。
上記押圧部４ｂは上記バレル３の筒状部３ａの内径と略同径に製造してあり、プランジャ４を後方に移動させた際には該押圧部４ｂを筒状部３ａに形成した上述の膨出部３ｅに係合させて、プランジャ４がバレル３より脱落するのを防止できるようにしてある（図３参照）。
上記円盤状の押圧部４ｂと、この押圧部４ｂよりも先端側に形成した円盤状の連結部４ｃとの間には環状凹部４ｅを形成してあり、該環状凹部４ｅに上記ガスケット５の後端部を連結している。すなわち、上記ガスケット５は弾力性を有するゴム素材によって筒状に形成してあり、そのリヤ側開口部の周縁を上記押圧部４ｂと連結部４ｃとの間の環状凹部４ｅに係合させることにより、該ガスケット５をプランジャ４に一体的に取り付けている。
さらに、上記各板状部材４ａの先端寄りの同じ位置に切欠き状の脆弱部４ｆを形成してあり、この脆弱部４ｆを支点にプランジャ４全体を折り曲げることにより、該脆弱部４ｆの位置で板状部材４ａを破断して、プランジャ４を脆弱部４ｆの位置で前後に分離することが可能となっている（図３参照）。
【０００８】
上記バレル３の筒状部３ａの外周側に樹脂製からなる保持機構としての外ハブ６を取り付けてあり、この外ハブ６に、上記カヌラ２を一体に取り付けた樹脂製の内ハブ７を離脱可能に係合させている。そして内ハブ７の後端部に設けた被係合手段７ａと、上記プランジャ４の先端部に設けた係合手段８とを係合させた状態で、該係合手段８を後退させることにより、上記内ハブ７を外ハブ６から離脱させて内ハブ７をカヌラ２ごとバレル３内に引き込むことができるようにしてある。
上記外ハブ６は、図５に拡大して示すように、バレル３の結合部３ｂよりも前方側に形成されて上記内ハブ７を保持する保持部６ａと、この保持部６ａの後方側に一体に連設されて上記結合部３ｂに連結される連結部６ｂとを備えている。上記外ハブ６の連結部６ｂの内周面と、上記バレル３の結合部３ｂの外周面とは、先端側が窄まった同形のテーパ状に形成してあり、外ハブ６の連結部６ｂ内部に結合部３ｂを挿入した際には、外ハブ６と結合部３ｂとを密着させて該結合部３ｂに外ハブ６を液密を保って取り付けることができるようにしてある。
他方、上記内ハブ７は、前方に形成されて上記カヌラ２を一体に保持する保持部７ｂと、この保持部７ｂの後端側に一体に連設された上記被係合手段７ａとを備えている。
【０００９】
上記外ハブ６の保持部６ａの内周面と内ハブ７の保持部７ｂの外周面は、先端側が窄まった同一形状のテーパ面としてあり、両テーパ面を密着させることで、バレル３内の薬液等の漏出を防止できるようにしてある。
上記外ハブ６の保持部６ａの後部内周面には第１係合手段を構成する環状凹部６ｃを形成してあり、また内ハブ７の保持部７ｂの後部外周面には上記環状凹部６ｃと共に第１係合手段を構成する環状凸部７ｃを形成してある。そして上記環状凹部６ｃと環状凸部７ｃとを係合させることにより、たとえばカヌラ２を患者に穿刺して内ハブ７に後方に向かう力が作用しても、外ハブ６に対する内ハブ７の離脱を防止できるようにしてある。
他方、上記プランジャ４に設けた係合手段８と内ハブ７の被係合手段７ａを係合させた状態で、プランジャ４を後方に移動させた際には、上記環状凸部７ｃと環状凹部６ｃとの係合を離脱させて、内ハブ７をカヌラ２ごとバレル３内に引き込むことができるようにしてある。
【００１０】
上記係合手段８は、上記プランジャ４の先端部に設けた円形の筒状部材８Ａを備えており、この筒状部材８Ａは、上記連結部４ｃの先端面に一体に連設されて軸方向前方に伸びている。
上記筒状部材８Ａは上記ガスケット５の先端部を貫通してその前方まで伸びており、ガスケット５の筒状部材８Ａが貫通する貫通部分の内径は、筒状部材８Ａの外径よりも小さく形成してある。これにより、ガスケット５の貫通部分の内周部分を自己の弾性により筒状部材８Ａの外周に密着させてその部分をシールさせてあり、したがって上記筒状部分８Ａはガスケット５を液密を保ちながら摺動自在に貫通して前方に伸びている。
図１は、上記ガスケット５の前面外周部がバレル３の傾斜部３ｃの内面に軽く当接する前進端まで移動させて「ゼロ点合わせ」を行っている状態を示しており、この状態では筒状部材８Ａの先端部は内ハブ７の被係合手段７ａと当接することがないようになっている。これに対し、図２は、上記「ゼロ点合わせ」の状態から更にプランジャ４を強く押込んでガスケット５を軸方向に圧縮させ、それによって筒状部材８Ａを更に前進させて上記被係合手段７ａを筒状部材８Ａ内に相対的に押込んで、係合手段８を被係合手段７ａに係合させた状態を示している。
【００１１】
図５に示すように、上記被係合手段７ａと係合手段８とを係合させるために、上記筒状部材８Ａの先端部に被係合手段７ａが挿入される挿入孔８ａを形成してあり、この挿入孔８ａの前方側は小径孔８ｂ、後方側は大径孔８ｃとしてある。そして小径孔８ｂと大径孔８ｃとの段部端面を係合部８ｄとしてあり、ここに上記内ハブ７の被係合手段７ａを係止させることができるようにしてある（図６参照）。
上記内ハブ７の被係合手段７ａは、図示実施例では保持部７ｂの後端部から互いに間隔をあけて後方に伸びる２枚の薄板状部分７ｄを備えており、この薄板状部分７ｄの後端部は一体に連結されている。そしてその後端部の外形は後端側がとがった断面三角状に形成されて上記挿入孔８ａ内に挿入されやすくなっており、かつ三角状部分の先端部側がそれぞれ半径方向外方に突出して、その部分が上記係合手段８の係合部８ｄと係合する係止部７ｅとなっている。
したがって、内ハブ７の被係合手段７ａが相対的に係合手段８の挿入孔８ａ内に挿入された際には、２つの係止部７ｅは挿入孔８ａの小径孔８ｂによって上記２枚の薄板状部分７ｄの間隔を狭めるとともにそれ自体圧縮されながら該小径孔８ｂ内に進入されるようになる。そして２つの係止部７ｅが小径孔８ｂを通過して大径孔８ｃ内に進入すると、自己の弾性により元の状態に復帰すると共に上記２枚の薄板状部分７ｄの間隔も拡大されて、各係止部７ｅが係合手段８の係合部８ｄと係合するようになる。
【００１２】
さらに上記係合手段８は、図６、図７に拡大して示すように、上記内ハブ７を外ハブ６から離脱させてカヌラ２をバレル３内に引き込んだ際に、カヌラ２をバレル３の軸線に対して傾斜させるための第１押圧部８ｅと第２押圧部８ｆとを備えている。図３に示すように、バレル３内でカヌラ２を傾斜させることができれば、再びプランジャ４が前進された際にカヌラ２の先端部をバレル３の傾斜部３ｃの内面に当接させて、カヌラ２の先端がバレル３から突出されて誤穿刺事故が生じてしまうことを防止することができる。
上記第１押圧部８ｅは大径孔８ｃ内に形成してあり、この第１押圧部８ｅは筒状部材８Ａの中心軸Ｌに対してその半径方向一側から中心軸Ｌに向かってその手前の位置まで突出している。したがって第１押圧部８ｅは上記内ハブ７の被係合手段７ａが大径孔８ｃ内に進入された際に該被係合手段７ａに当接して、被係合手段７ａを第１押圧部８ｅの突出方向（図６の矢印Ｘ方向）に偏心するように案内し、それによってカヌラ２の先端を逆方向に傾斜させることができるようになっている。
【００１３】
本実施例では、大径孔８ｃは、図６の網目Ａで示される形状が図６の紙面と垂直な（紙面を貫通する）方向に伸びた形状に形成されている。すなわちこの大径孔８ｃは筒状部材８Ａをその軸方向と直交する方向に貫通するように形成されており、したがって第１押圧部８ｅの中心軸側の表面８ｅ’も、図６の紙面と垂直な表面となっている（図７参照）。
また上記被係合手段７ａを第１押圧部８ｅの突出方向Ｘに滑らかに偏心するように案内するために、第１押圧部８ｅの軸方向前面から突出側の表面８ｅ’にかけて、すなわち被係合手段７ａと接触して案内する部分を、円弧状となるように形成してある。
上記大径孔８ｃを、上述したように筒状部材８Ａと直交する方向に貫通形成することにより、図示しない型枠によって上記係合手段８をプランジャ４と一体的に製造する際に、該大径孔８ｃを形成するための図示しない移動型枠を上記貫通方向に引き抜くことができるようになる。
このように、上記移動型枠を貫通方向に引き抜くことができれば、小径部８ｃと大径孔８ｃとの段部端面の形状を、つまり上記係合部８ｄの表面を自由に設定することが可能となり、図示のように係合部８ｄの表面を筒状部材８Ａの軸方向と直交する方向に形成したり、或いは係合部８ｄの半径方向外方の表面を半径方向内方の表面よりも前方側に僅かに傾かせた傾斜面とすることにより、該係合部８ｄと上記被係合手段７ａの係止部７ｅとの係合をより確実なものとすることができる。
【００１４】
上記第１押圧部８ｅに対し、第２押圧部８ｆは小径孔８ｂ内に形成してあり、かつ第１押圧部８ｅとは反対側から中心軸Ｌに向かって突出するように形成してある。
これにより、上述したように第１押圧部８ｅで被係合手段７ａを第１押圧部８ｅの突出方向（図６の矢印Ｘ方向）に偏心するように押圧するのと同時に、第２押圧部８ｆによって、被係合手段７ａの第１押圧部８ｅとの接触部分よりも前方の部分を第１押圧部８ｅの突出方向とは反対方向に偏心するように押圧することができるので、それによってカヌラ２を一層良好に傾斜させることができるようになる。
また上記小径孔８ｂは、大径孔８ｃとは異なり、筒状部材８Ａの先端から軸方向に沿って断面円形の孔として形成してあり、かつ上記第２押圧部８ｆは、図７に示すように、第１押圧部８ｅの形成位置とは反対側で、半円形状に突出するように形成してある。このような小径孔８ｂと第２押圧部８ｆは、該小径孔８ｂを形成するための図示しない移動型枠を筒状部材８Ａの軸方向に引き抜くことによって形成することが可能である。
【００１５】
以上の構成を有する注射器１の使用方法について説明する。
先ず、注射器１に薬品を吸引したり血液を採取する際には、医療従事者は最初にプランジャ４を前進させてガスケット５を前進端に位置させて「ゼロ点合わせ」を行う。このとき、前述したようにガスケット５はその前面外周部がバレル３の傾斜部３ｃの内面に軽く当接するようになるが、この状態では筒状部材８Ａの先端部は内ハブ７の被係合手段７ａと当接することがない。
この「ゼロ点合わせ」を行ったら、カヌラ２をバイアルや患者に穿刺し、続いてプランジャ４を後退させることでバレル３内に薬液や血液が流入させることができ、その後、再びプランジャ４を前進させればバレル３内の薬液や血液をカヌラ２から放出させることができる。
上記カヌラ２を患者等に穿刺する際には、カヌラ２及び内ハブ７には後方に向けて力が作用するが、内ハブ７の環状凸部７ｃと外ハブ６の環状凹部６ｃとが係合しているので、内ハブ７が外ハブ６から離脱して後方に移動することはない。
【００１６】
注射器１の使用が終了したら、カヌラ２が医療従事者に誤穿刺される事故を防止するため、以下のようにしてカヌラ２をバレル３内に収納する。
最初に、プランジャ４を前進させて上記ガスケット５の前面外周部をバレル３の傾斜部３ｃの内面に軽く当接させる。この状態は前述した「ゼロ点合わせ」の状態と同じである。この状態となったら、引き続きプランジャ４を強く前進させてガスケット５を軸方向に圧縮させ、それによってプランジャ４とともに筒状部材８Ａを更に前進させて、上記被係合手段７ａを筒状部材８Ａの挿入孔８ａ内に相対的に挿入させる。
上記挿入孔８ａ内に挿入された被係合手段７ａは、小径孔８ｂを貫通して大径孔８ｃ内に挿入され、該被係合手段７ａの末端部は大径孔８ｃ内の第１押圧部８ｅに当接して図６の矢印Ｘ方向に押し上げられるようになる。被係合手段７ａの末端部が図６の矢印Ｘ方向に押し上げられながら更に挿入されると、その末端部よりも前方部分が第２押圧部８ｆに押圧されるようになるので、両押圧部８ｅ、８ｆによって内ハブ６にはその前方側となる保持部７ｂを図１の下方に付勢する回転モーメントが作用するようになる。
更に引き続き被係合手段７ａが挿入孔８ａ内に挿入されると、被係合手段７ａの係止部７ｅが係合部８ｄを越えて、これと係合するようになる。
【００１７】
次に、その状態となったら、プランジャ４を後退させれば、被係合手段７ａと係合手段８との結合力のほうが内ハブ７の環状凸部７ｃと外ハブ６の環状凹部６ｃとの結合力よりも強く設定してあるので、内ハブ７は外ハブ６から離脱されて、カヌラ２ごとバレル３内に引き込まれるようになる。
上記内ハブ７が外ハブ６から離脱されると、上記両押圧部８ｅ、８ｆによる回転モーメントによってカヌラ２の先端部が下方に偏心され、図３に示すように、バレル３の筒状部３ａの内面に当接されるようになる。このため、その後プランジャ４が再び前進されても、カヌラ２はバレル３の傾斜部３ｃによって前進が阻止されるので、バレル３内から外部に突出するのが効果的に防止され、それによって医療従事者にカヌラが誤穿刺される事故を防止することができる。
さらに、プランジャ４を後退させて上記脆弱部４ｆがバレル３の外部にまで露出したら、医療従事者は該脆弱部４ｆを支点にプランジャ４を折り曲げて、その位置でプランジャ４を２つに分離する。これによりプランジャ４をバレル３内に深く押込むことが困難となるので、この点においてもカヌラ２がバレル３内から外部に突出するのを防止することができる。
【００１８】
なお、上記実施例では、筒状部材８Ａをプランジャ４の先端部に一体的に設けてガスケット５を摺動自在に貫通させ、それによって「ゼロ点合わせ」を行うことができるようにしているが、これに限定されるわけではない。「ゼロ点合わせ」を行う必要のない注射器に本発明を適用する場合には、図示しないが、上記ガスケット５自体に筒状部材８Ａを、つまり係合手段８を設けるようにしてもよい。
また、該バレル３の先端部に内ハブ７を保持する保持機構としては上述の実施例に限られるものではなく、バレル３の先端部に内ハブ７を離脱可能に保持することができれば如何なる構成であってもよい。
さらに、係合手段８や被係合手段７ａとしても、上記目的を達成できるものであれば、種々の構成を採用することができる。
【図面の簡単な説明】
【００１９】
【図１】本発明に係る注射器１を示し、「ゼロ点合わせ」を行っている状態の断面図。
【図２】図１の状態から更にプランジャ４を前進させて、プランジャ４の係合手段８と内ハブ７の被係合手段７ａとを係合させた状態を示す断面図。
【図３】図２の状態からプランジャ４を後退させて、内ハブ７とカヌラ２とをバレル３内に引き込んだ状態を示す断面図。
【図４】図１のＩＶ−ＩＶ線に沿う断面図。
【図５】図１の要部を拡大して示す断面図。
【図６】図５の要部を更に拡大して示す断面図。
【図７】図６の左側面図。
【符号の説明】
【００２０】
１  注射器                            ２  カヌラ
３  バレル                            ３ａ  筒状部
３ｂ  結合部                          ３ｃ  傾斜部
４  プランジャ                        ５  ガスケット
６  外ハブ（保持機構）                ７  内ハブ
７ａ  被係合手段                      ７ｅ  係止部
８  係合手段                          ８Ａ  筒状部材
８ａ  挿入孔                          ８ｂ  小径孔
８ｃ  大径孔                          ８ｄ  係合部
８ｅ  第１押圧部                      ８ｅ’第１押圧部の表面
８ｆ  第２押圧部
【図１】
0005182472.tif 000002
【図２】
0005182472.tif 000003
【図３】
0005182472.tif 000004
【図４】
0005182472.tif 000005
【図５】
0005182472.tif 000006
【図６】
0005182472.tif 000007
【図７】
0005182472.tif 000008